(57)【要約】【課題】携帯端末装置とＳＩＭカードのペアが本来のものでなくなっても、携帯端末装置の位置の検索を行うことができる携帯端末検索システム及び携帯端末検索方法を提供する。【解決手段】移動通信センター３の管理部３３にて携帯端末装置５の電話番号、製造番号及び購入履歴の情報を管理し、被検索携帯端末装置５（１）の電話番号の購入履歴があれば、被検索携帯端末装置５（１）の製造番号と管理している製造番号とを照合し、双方の製造番号が一致しなければ、被検索携帯端末装置５（１）の製造番号を用いて管理している電話番号を逆引きし、逆引きした電話番号の逆引き携帯端末装置５（２）の位置情報を取得し、取得した位置情報を地図に重畳させて検索者に送信する。これにより、携帯端末装置５とＳＩＭカード（図示略）のペアが本来のものでなくなっても、製造番号から電話番号を逆引きすることで被検索携帯端末装置５（１）を検索することができる。【選択図】図４
2008271273.tif 000002
【特許請求の範囲】
【請求項１】
携帯端末装置の検索者からの要求に応じて検索を行う移動通信センターを備えた携帯端末検索システムであって、前記移動通信センターは、携帯端末装置の製造番号と当該携帯端末装置に予め割り当てられている電話番号との対応関係情報を管理する管理手段と、前記検索者からの電話番号を伴った検索要求に応じて、当該電話番号が実際に割り当てられている被検索携帯端末装置の製造番号を取得する取得手段と、当該取得した製造番号と前記電話番号が予め割り当てられている携帯端末装置の製造番号とを照合する照合手段と、前記照合において製造番号が一致しないときに、前記被検索携帯端末装置の製造番号を用いて前記対応関係情報から逆引きした電話番号の逆引き携帯端末装置の位置情報を取得する位置情報取得手段と、前記位置情報を前記検索者に送信する送信手段と、を具備することを特徴とする携帯端末検索システム。
【請求項２】
前記位置情報取得手段は、前記被検索携帯端末装置の電話番号の対応関係情報がない場合に、前記被検索携帯端末装置の製造番号を用いて前記情報から逆引きした電話番号の逆引き携帯端末装置の位置情報を取得することを特徴とする請求項１記載の携帯端末検索システム。
【請求項３】
前記送信手段は、前記照合において製造番号が一致した場合、又は前記被検索携帯端末装置の製造番号を用いて前記情報から逆引きした電話番号がない場合に、被検索携帯端末装置の位置情報を重畳した地図を前記検索者に送信することを特徴とする請求項１又は請求項２記載の携帯端末検索システム。
【請求項４】
前記地図の縮尺を変更する縮尺変更手段を有し、前記被検索携帯端末装置の位置情報を重畳する地図の縮尺を大きくし、前記逆引き携帯端末装置の位置情報を重畳する地図の縮尺を小さくすることを特徴とする請求項１から請求項３のいずれかに記載の携帯端末検索システム。
【請求項５】
携帯端末装置の検索者からの要求に応じて検索を行う携帯端末検索方法であって、前記検索者からの電話番号を伴った検索要求に応じて、当該電話番号が実際に割り当てられている被検索携帯端末装置の製造番号を取得する工程と、前記被検索携帯端末装置の製造番号と当該携帯端末装置に予め割り当てられている電話番号との対応関係情報に基づいて、当該取得した製造番号と前記電話番号が予め割り当てられている携帯端末装置の製造番号とを照合する工程と、前記照合において製造番号が一致しないときに、前記被検索携帯端末装置の製造番号を用いて前記対応関係情報から逆引きした電話番号の逆引き携帯端末装置の位置情報を取得する工程と、前記位置情報を重畳した地図を前記検索者に送信する工程と、を具備することを特徴とする携帯端末検索方法。
【請求項６】
前記被検索携帯端末装置の電話番号の対応関係情報がない場合に、前記被検索携帯端末装置の製造番号を用いて前記情報から逆引きした電話番号の逆引き携帯端末装置の位置情報を取得することを特徴とする請求項５記載の携帯端末検索方法。
【請求項７】
前記照合において製造番号が一致した場合、又は前記被検索携帯端末装置の製造番号を用いて前記情報から逆引きした電話番号がない場合に、被検索携帯端末装置の位置情報を重畳した地図を前記検索者に送信することを特徴とする請求項５又は請求項６記載の携帯端末検索方法。
【請求項８】
前記被検索携帯端末装置の位置情報を重畳する地図の縮尺を大きくし、前記逆引き携帯端末装置の位置情報を重畳する地図の縮尺を小さくすることを特徴とする請求項５から請求項７のいずれかに記載の携帯端末検索方法。
【発明の詳細な説明】
【技術分野】
【０００１】
本発明は、置き忘れや紛失した携帯端末装置（例えば携帯電話）を検索可能な携帯端末検索システム及び携帯端末検索方法に関し、特にパソコン等のユーザ端末を使用した検索が可能な携帯端末検索システム及び携帯端末検索方法に関する。
【背景技術】
【０００２】
従来、置き忘れたり紛失したりした携帯端末装置をパソコン等のユーザ端末を使用して検索できる携帯端末検索システムが提案されている。特許文献１には、探索側携帯電話において、利用者が探索対象として指定した被探索側携帯電話の識別情報を含んだ探索信号を周期的に送信し、被探索側携帯電話において、探索信号に含まれる識別情報と自携帯電話の識別情報とを照合し、一致した場合に探索側携帯電話へ応答信号を送信する携帯電話の探索方法が開示されている。また、この特許文献１には、被探索側携帯電話の識別情報として、電話番号以外に、被探索側携帯電話を特定できる情報（製造番号等）を用いることが記載されている。
【特許文献１】特開２００４−２９７２０１号公報
【発明の開示】
【発明が解決しようとする課題】
【０００３】
しかしながら、従来の携帯端末検索方法においては、電話番号や製造番号等の携帯端末装置を特定できる情報を用いて携帯端末装置を検索するものの、端末本体からＳＩＭ（Subscriber Identity Module）カードが抜き取られて別の端末に挿入された場合を想定していないため、携帯端末装置とＳＩＭカードのペアが本来のものでない場合に携帯端末装置を探し出すことが困難になる。通常、ＩＣカード機能搭載の携帯端末装置は、カード情報が携帯端末装置本体側に保存されるので、個人情報が保存されるＳＩＭカードも大切であるが、携帯端末装置本体も大切である。因みに、ＳＩＭカードには、「電話番号」、「ユーザＩＤ」、「契約情報」、「電話帳」が格納される。
【０００４】
ここで、図８は、携帯端末装置１００と対になっているＳＩＭカード１１０を携帯端末装置１０１に差し替え、携帯端末装置１０１と対になっているＳＩＭカード１１１を携帯端末装置１００に差し替えた様子を示す図である。携帯端末装置１００の本体の製造番号は「ABC123456789」、ＳＩＭ１１０に記録された電話番号は「090-1234-○○○○」であり、携帯端末装置１０１の本体の製造番号は「GHI987654321」、ＳＩＭ１１１に記録された電話番号は「090-4567-××××」である。ＳＩＭ１１０、１１１を差し替えることで、携帯端末装置１００の電話番号が「090-1234-○○○○」から「090-4567-××××」に変わり、携帯端末装置１０１の電話番号が「090-4567-××××」から「090-1234-○○○○」に変わる。
【０００５】
本発明はかかる点に鑑みてなされたものであり、携帯端末装置とＳＩＭカードのペアが本来のものでなくなっても、携帯端末装置の位置の検索を行うことができる携帯端末検索システム及び携帯端末検索方法を提供することを目的とする。
【課題を解決するための手段】
【０００６】
本発明の携帯端末検索システムは、携帯端末装置の検索者からの要求に応じて検索を行う移動通信センターを備えた携帯端末検索システムであって、前記移動通信センターは、携帯端末装置の製造番号と当該携帯端末装置に予め割り当てられている電話番号との対応関係情報を管理する管理手段と、前記検索者からの電話番号を伴った検索要求に応じて、当該電話番号が実際に割り当てられている被検索携帯端末装置の製造番号を取得する取得手段と、当該取得した製造番号と前記電話番号が予め割り当てられている携帯端末装置の製造番号とを照合する照合手段と、前記照合において製造番号が一致しないときに、前記被検索携帯端末装置の製造番号を用いて前記対応関係情報から逆引きした電話番号の逆引き携帯端末装置の位置情報を取得する位置情報取得手段と、前記位置情報を前記検索者に送信する送信手段と、を具備することを特徴とする。
【０００７】
この構成によれば、移動通信センター（ネットワーク）にて、携帯端末装置の電話番号、製造番号及び購入履歴の情報を管理し、携帯端末装置を検索する場合、携帯端末装置の製造番号と当該携帯端末装置に予め割り当てられている電話番号との対応関係情報に基づいて、管理手段で管理されている製造番号と被検索携帯端末装置の製造番号とを照合し、一致しなければ、被検索携帯端末装置の製造番号を用いて管理手段で管理されている電話番号を逆引きし、逆引きした電話番号の逆引き携帯端末装置の位置情報を取得し、取得した位置情報を地図に重畳させて検索者に送信する。したがって、携帯端末装置とＳＩＭカードのペアが本来のものでなくなっても、製造番号から電話番号を逆引きすることで被検索携帯端末装置を検索することができる。
【０００８】
本発明の携帯端末検索システムにおいては、前記位置情報取得手段は、前記被検索携帯端末装置の電話番号の対応関係情報がない場合に、前記被検索携帯端末装置の製造番号を用いて前記情報から逆引きした電話番号の逆引き携帯端末装置の位置情報を取得することが好ましい。
【０００９】
この構成によれば、被検索携帯端末装置の電話番号の対応関係情報がなくても、被検索携帯端末装置の位置情報を取得することができる。
【００１０】
本発明の携帯端末検索システムにおいては、前記送信手段は、前記照合において製造番号が一致した場合、又は前記被検索携帯端末装置の製造番号を用いて前記情報から逆引きした電話番号がない場合に、被検索携帯端末装置の位置情報を重畳した地図を前記検索者に送信することが好ましい。
【００１１】
この構成によれば、製造番号が一致した場合と、製造番号が一致しなくても、被検索携帯端末装置の製造番号を用いて情報から電話番号を逆引きできない場合（例えば、機種変更の場合）には、被検索携帯端末装置の位置情報を重畳した地図を検索者に送信するので、検索者は位置の検索を行っている自己の携帯端末装置の位置を把握することができる。
【００１２】
本発明の携帯端末検索システムにおいては、前記地図の縮尺を変更する縮尺変更手段を有し、前記被検索携帯端末装置の位置情報を重畳する地図の縮尺を大きくし、前記逆引き携帯端末装置の位置情報を重畳する地図の縮尺を小さくすることが好ましい。
【００１３】
この構成によれば、被検索携帯端末装置が探しているものであるので、その位置が明確に分かるように地図の縮尺を大きくし、逆引き携帯端末装置においては、探している携帯端末装置ではなく他人のものである場合もあるので、地図の縮尺を小さくすることができる。
【００１４】
本発明の携帯端末検索方法は、携帯端末装置の検索者からの要求に応じて検索を行う携帯端末検索方法であって、前記検索者からの電話番号を伴った検索要求に応じて、当該電話番号が実際に割り当てられている被検索携帯端末装置の製造番号を取得する工程と、前記被検索携帯端末装置の製造番号と当該携帯端末装置に予め割り当てられている電話番号との対応関係情報に基づいて、当該取得した製造番号と前記電話番号が予め割り当てられている携帯端末装置の製造番号とを照合する工程と、前記照合において製造番号が一致しないときに、前記被検索携帯端末装置の製造番号を用いて前記対応関係情報から逆引きした電話番号の逆引き携帯端末装置の位置情報を取得する工程と、前記位置情報を重畳した地図を前記検索者に送信する工程と、を具備することを特徴とする。
【００１５】
この方法によれば、携帯端末装置の電話番号、製造番号及び購入履歴の情報を管理し、携帯端末装置を検索する場合、携帯端末装置の製造番号と当該携帯端末装置に予め割り当てられている電話番号との対応関係情報に基づいて、管理している製造番号と被検索携帯端末装置の製造番号とを照合し、一致しなければ、被検索携帯端末装置の製造番号を用いて管理している電話番号を逆引きし、逆引きした電話番号の逆引き携帯端末装置の位置情報を取得し、取得した位置情報を地図に重畳させて検索者に送信する。したがって、携帯端末装置とＳＩＭカードのペアが本来のものでなくなっても、製造番号から電話番号を逆引きすることで被検索携帯端末装置を検索することができる。
【００１６】
本発明の携帯端末検索方法においては、前記被検索携帯端末装置の電話番号の対応関係情報がない場合に、前記被検索携帯端末装置の製造番号を用いて前記情報から逆引きした電話番号の逆引き携帯端末装置の位置情報を取得することが好ましい。
【００１７】
この方法によれば、被検索携帯端末装置の電話番号の対応関係情報がなくても、被検索携帯端末装置の位置情報を取得することができる。
【００１８】
本発明の携帯端末検索方法においては、前記照合において製造番号が一致した場合、又は前記被検索携帯端末装置の製造番号を用いて前記情報から逆引きした電話番号がない場合に、被検索携帯端末装置の位置情報を重畳した地図を前記検索者に送信することが好ましい。
【００１９】
この方法によれば、製造番号が一致した場合と、製造番号が一致しなくても、被検索携帯端末装置の製造番号を用いて情報から電話番号を逆引きできない場合（機種変更の場合）には、被検索携帯端末装置の位置情報を重畳した地図を検索者に送信するので、検索者は位置の検索を行っている自己の携帯端末装置の位置を把握することができる。
【００２０】
本発明の携帯端末検索方法においては、前記被検索携帯端末装置の位置情報を重畳する地図の縮尺を大きくし、前記逆引き携帯端末装置の位置情報を重畳する地図の縮尺を小さくすることが好ましい。
【００２１】
この方法によれば、被検索携帯端末装置が探しているものであるので、その位置が明確に分かるように地図の縮尺を大きくし、逆引き携帯端末装置においては、探している携帯端末装置ではなく他人のものである場合もあるので、地図の縮尺を小さくすることができる。
【発明の効果】
【００２２】
本発明による携帯端末検索システム及び携帯端末検索方法は、携帯端末装置の電話番号、製造番号及び購入履歴の情報を管理し、被検索携帯端末装置の製造番号と当該携帯端末装置に予め割り当てられている電話番号との対応関係情報があれば、被検索携帯端末装置の製造番号と管理している製造番号とを照合し、双方の製造番号が一致しなければ、被検索携帯端末装置の製造番号を用いて管理している電話番号を逆引きし、逆引きした電話番号の逆引き携帯端末装置の位置情報を取得し、取得した位置情報を地図に重畳させて検索者に送信するので、携帯端末装置とＳＩＭカードのペアが本来のものでなくなっても、製造番号から電話番号を逆引きすることで被検索携帯端末装置を検索することができる。
【発明を実施するための最良の形態】
【００２３】
以下、本発明の実施の形態について、添付図面を参照して詳細に説明する。
図１は、本発明の一実施の形態に係る携帯端末検索システムの概略構成を示すブロック図である。図１に示すシステムは、携帯端末装置のユーザが使用するＰＣ（Personal Computer）１と、ＰＣ１とゲートウェイ２を介して接続される移動通信センター３と、移動通信網４を介して移動通信センター３と接続される複数の携帯端末装置５とから主に構成されている。本実施の形態では、検索対象の携帯端末装置５を被検索携帯端末装置５（１）とし、逆引きした携帯端末装置５を逆引き携帯端末装置５（２）としている。
【００２４】
ＰＣ１には、ゲートウェイ２を介して移動通信センター３と通信を行って携帯端末装置５の位置を検索するアプリケーションソフトがインストールされている。ＰＣ１のユーザは、携帯端末装置５を何処かに置き忘れたり、紛失したりした場合に端末位置検索用のアプリケーションソフトを起動して検索を行う。
【００２５】
移動通信網４は、携帯端末装置５と移動通信センター３との間のネットワークである。この移動通信網４には、通常の移動通信網に加えて移動パケット通信網も含まれる。移動通信センター３は、携帯端末装置５の位置情報を管理する機能を有する。携帯端末装置５は、ＧＰＳ（Global Positioning System）を搭載しており、ＧＰＳにより自装置の位置情報を測位することができる。また、携帯端末装置５は、移動通信網４を介して移動通信センター３との間で情報の送受信を行うことができる。また、携帯端末装置５は、移動通信センター３から位置情報の要求があると、ＧＰＳで測位した位置情報を移動通信センター３に送信する。また、携帯端末装置５は、移動通信センター３から製造番号の要求があると、自機の製造番号を移動通信センター３に送信する。携帯端末装置５は、オペレーティングシステム（移動機ＯＳ）を有しており、移動機ＯＳ上でブラウザ機能、ビューワ機能、ＪＡＭ（Java（登録商標）  Application  Manager）その他の機能が動作する。
【００２６】
図２は、移動通信センター３の概略構成を示すブロック図である。同図において、移動通信センター３は、装置全体を制御する制御部３１と、移動通信網４を介して携帯端末装置５との間で通信を行って携帯端末装置５の製造番号と位置情報を取得し、またゲートウェイ２を介してＰＣ１との間で通信を行って携帯端末装置５の位置情報を重畳した地図をＰＣ１に送信する通信制御部３２と、携帯端末装置５の電話番号及び製造番号の情報（被検索携帯端末装置の製造番号と当該携帯端末装置に予め割り当てられている電話番号との対応関係情報）を管理する管理部３３と、検索に係る被検索携帯端末装置５（１）の対応関係情報がある場合に、管理部３３で管理さている対応関係情報の製造番号と被検索携帯端末装置５（１）の製造番号とを照合する照合部３４と、携帯端末装置５の位置情報及び携帯端末装置５と通信可能状態にある基地局（図示略）の位置情報をそれぞれ取得する位置情報取得部３５と、携帯端末装置５の位置を重畳した地図の縮尺を変更する地図縮尺変更部３６とから主に構成されている。
【００２７】
なお、制御部３１と通信制御部３２は、送信手段と取得手段をそれぞれ構成する。また、管理部３３は管理手段に対応する。また、照合部３４は照合手段に対応する。また、位置情報取得部３５は位置情報取得手段に対応する。また、地図縮尺変更部３６は縮尺変更手段に対応する。
【００２８】
管理部３３は、図３に示すような管理テーブルを有する。図３に示すテーブルにおいては、携帯端末装置５の「電話番号」、「製造番号」を管理する。図３に示す例では、電話番号090-1234-○○○○の携帯端末装置５の製造番号は「123456789」となっている。また、電話番号090-2234-○○○○の携帯端末装置５の製造番号は「223456789」となっている。また、電話番号090-3234-○○○○の携帯端末装置５の製造番号は「323456789」となっている。また、電話番号090-4234-○○○○の携帯端末装置５の製造番号は「423456789」となっている。なお、テーブルで管理する項目については、適宜変更することができる。
【００２９】
位置情報取得部３５は、被検索携帯端末装置５（１）の製造番号と管理部３３で管理されている製造番号とが一致しないときに、被検索携帯端末装置５（１）の製造番号を用いて、管理部３３で管理されている情報から電話番号を逆引きし、この逆引きした電話番号の逆引き携帯端末装置５（２）の位置情報を取得する。
【００３０】
地図縮尺変更部３６は、ＰＣ１に送る地図の縮尺を変更するものであり、被検索携帯端末装置５（１）の位置情報を重畳する地図の縮尺を大きくし、逆引き携帯端末装置５（２）の位置情報を重畳する地図の縮尺を小さくする。
【００３１】
このようなシステムにおいて、被検索携帯端末装置５（１）の製造番号と管理部３３で管理している製造番号とが一致した場合と、製造番号が一致しなくとも、被検索携帯端末装置５（１）の製造番号を持つ登録済みの電話番号が無い場合と、電話番号の購入履歴が無く（購入履歴漏れ）、かつ、被検索携帯端末装置５（１）の製造番号を持つ登録済みの電話番号が無い場合に、被検索携帯端末装置５（１）から送られてきた位置情報を重畳する地図の縮尺を大きくし、それをＰＣ１へ送信する。
【００３２】
また、電話番号の購入履歴の有る被検索携帯端末装置５（１）の製造番号と管理部３３で管理している製造番号とが一致せず、被検索携帯端末装置５（１）の製造番号を持つ登録済みの電話番号がある場合（ＳＩＭが差し替えられた場合）と、電話番号の購入履歴が無く（購入履歴漏れ）、かつ、被検索携帯端末装置５（１）の製造番号を持つ登録済みの電話番号が有る場合（ＳＩＭが差し替えられた場合）に、逆引き携帯端末装置５（２）から送られてきた位置情報を重畳する地図の縮尺を小さくし、それをＰＣ１へ送信する。
【００３３】
次に、本発明の実施の形態に係る携帯端末検索方法について説明する。
図４は、本発明の実施の形態に係る携帯端末検索方法を説明するためのフロー図である。同図において、まず検索者であるＰＣ１のユーザがＰＣ１を使用して自己の携帯端末装置５の位置を検索する操作を行う。この場合、ユーザは自己の携帯端末装置５の電話番号を入力する。これにより、ＰＣ１から移動通信センター３に位置検索要求が送信される（ステップＳＴ１１）。移動通信センター３は、ＰＣ１から送信された位置検索要求を受信すると、被検索携帯端末装置５（１）の位置を検索する。図５は、被検索携帯端末装置５（１）を検索している最中のＰＣ１上への表示例である。この例では、「ただいま検索中です。探したい携帯電話の電波状況により、検索にお時間がかかる場合がございます」というメッセージが表示されている。被検索携帯端末装置５（１）の位置が見つかると、被検索携帯端末装置５（１）に製造番号と位置情報を要求する（ステップＳＴ１２）。
【００３４】
被検索携帯端末装置５（１）は、移動通信センター３から製造番号と位置情報要求が送られてくると、その要求に応じて製造番号と位置情報を移動通信センター３に送信する（ステップＳＴ１３）。移動通信センター３は、被検索携帯端末装置５（１）から製造番号と位置情報が送られてくると、それらを取得すると共に被検索携帯端末装置５（１）と通信を行っている基地局の位置情報を取得する（ステップＳＴ１４）。
【００３５】
次いで、ユーザが入力した電話番号の購入履歴の有無を判定し、購入履歴がある場合は、被検索携帯端末装置５（１）の製造番号と管理部３３で管理されている対応関係情報に基づいてユーザの携帯端末装置５の製造番号とが一致するかどうか判定する（ステップＳＴ１６）。この判定において、両方の製造番号が一致する場合は、正規の検索として、被検索携帯端末装置５（１）から送られてきた位置情報を重畳する地図の縮尺を大きくして、その地図をＰＣ１へ送信する（ステップＳＴ１７）。この場合はＳＩＭカードの差し替えが行われておらず、被検索携帯端末装置５（１）の電話番号及び製造番号が管理部３３で管理している電話番号及び製造番号と一致する場合である。
【００３６】
例えば、ＰＣ１で「090-1234-○○○○」の携帯端末装置の検索を行うと、移動通信センター３が「090-1234-○○○○」の携帯端末装置を探索し、このとき見つかった携帯端末装置が被検索携帯端末装置５（１）であるとして、その被検索携帯端末装置５（１）に製造番号と位置情報を要求する。そして、被検索携帯端末装置５（１）から「123456789」の製造番号が送られてくると、その製造番号「123456789」と、それと対になる電話番号「090-1234-○○○○」が管理部３３にあるので、被検索携帯端末装置５（１）が検索対象の携帯端末装置そのものである。したがって、被検索携帯端末装置５（１）の場所が明確に分かる縮尺の地図をＰＣ１へ送信する。
【００３７】
図６は、縮尺を大きくした高精度の地図の一例である。この図において、星印は被検索携帯端末装置５（１）の位置を示している。
【００３８】
図４のフロー図に戻り、ステップＳＴ１６の判定において、被検索携帯端末装置５（１）の製造番号と管理部３３で管理されているユーザの携帯端末装置５の製造番号とが一致しない場合は、被検索携帯端末装置５（１）の製造番号を持つ電話番号が管理部３３にあるかどうか判定し（ステップＳＴ１８）、当該電話番号が無い場合は、機種変更後の検索として、被検索携帯端末装置５（１）から送られてきた位置情報を重畳する地図の縮尺を大きくし、それをＰＣ１へ送信する（ステップＳＴ１９）。すなわち、この場合も、被検索携帯端末装置５（１）の場所が明確に分かる縮尺の地図をＰＣ１に送信する。機種変更が行われて、新しい機種の製造番号と今まで使用してきた電話番号と対応付けて管理部３３に登録するまでの間は、ステップＳＴ１６（Ｎｏ）→ステップＳＴ１８（Ｎｏ）→ステップＳＴ１９の処理となる。その後、新しい機種の製造番号と今まで使用してきた電話番号が管理部３３に登録されると、正規検索となり、ステップＳＴ１６（Ｙｅｓ）→ステップＳＴ１７の処理となる。
【００３９】
被検索携帯端末装置５（１）の製造番号と管理部３３で管理されているユーザの携帯端末装置５の製造番号とが一致しない場合で、被検索携帯端末装置５（１）の製造番号を持つ電話番号が管理部３３にある場合は、ＳＩＭの差し替えがあったとして、被検索携帯端末装置５（１）から送られてきた製造番号を用いて、管理部３３で管理されている情報から電話番号を取得する。そして、管理部３３から取得した電話番号（即ち逆引きした電話番号）の携帯端末装置５（即ち逆引き携帯端末装置５（２））と通信が可能な基地局（図示略）を探す。該当する基地局が見つかるとその基地局を介して逆引き携帯端末装置５（２）に製造番号と位置情報を要求する（ステップＳＴ２０）。
【００４０】
ここで、被検索携帯端末装置５（１）の製造番号と管理部３３で管理されているユーザの携帯端末装置５の製造番号とが一致しない場合で、被検索携帯端末装置５（１）の製造番号を持つ電話番号が管理部３３にある場合とは、例えば図３において、ユーザがＰＣ１から入力した電話番号が「090-1234-○○○○」であって、この電話番号の携帯端末装置が製造番号「223456789」の被検索携帯端末装置５（１）であったとし、製造番号「223456789」に対して「090-2234-○○○○」の電話番号が管理部３３にある場合である。ユーザが入力した電話番号「090-1234-○○○○」とペアになる製造番号は「123456789」であるので、製造番号「223456789」とは一致しない。この製造番号「223456789」とペアになっている電話番号「090-2234-○○○○」である。因みに、製造番号「223456789」から電話番号「090-2234-○○○○」を引くことを逆引きした電話番号である。そして、逆引きした電話番号の携帯端末装置が逆引き携帯端末装置である。
【００４１】
逆引き携帯端末装置５（２）は、移動通信センター３から製造番号と位置情報要求が送られてくると、その要求に応じて製造番号と位置情報を移動通信センター３に送信する（ステップＳＴ２１）。移動通信センター３は、逆引き携帯端末装置５（２）から製造番号と位置情報が送られてくると、それらを取得すると共に逆引き携帯端末装置５（２）と通信を行っている基地局の位置情報を取得する。そして、逆引き携帯端末装置５（２）と通信を行っている基地局の位置情報をＰＣ１へ送信する（ステップＳＴ２２）。このとき、逆引き電話番号を併せてＰＣ１へ送信しても良いし、携帯端末装置５（２）と通信を行っている基地局の位置情報を地図に重畳し、縮尺を小さくしてＰＣ１へ送信するようにしても良い。図７は、縮尺を小さくした低精度の地図の一例である。
【００４２】
一方、ステップＳＴ１５の判定において、ユーザが入力した電話番号の購入履歴がない場合は、被検索携帯端末装置５（１）の製造番号を持つ電話番号が管理部３３にあるかどうか判定し（ステップＳＴ２３）、ある場合はＳＩＭの差し替えがあったとして、ステップＳＴ２０に進み、上記同様の処理を行う。これに対して、被検索携帯端末装置５（１）の製造番号を持つ電話番号が管理部３３に無い場合は、電話番号の購入登録忘れとして、被検索携帯端末装置５（１）から送られてきた位置情報を重畳する地図の縮尺を大きくし、それをＰＣ１へ送信する（ステップＳＴ２４）。
【００４３】
このように、本実施の形態に係る携帯端末検索システムでは、移動通信センター３の管理部３３にて携帯端末装置５の電話番号、製造番号及び購入履歴の情報を管理し、被検索携帯端末装置５（１）の電話番号の購入履歴があれば、被検索携帯端末装置５（１）の製造番号と管理している製造番号とを照合し、双方の製造番号が一致すれば、正規検索として被検索携帯端末装置５（１）の位置情報を地図に重畳させて検索者に送信し、また双方の製造番号が一致しなくても被検索携帯端末装置５（１）の製造番号とペアになる電話番号が管理部３３に登録されていなければ、機種変更後の検索として被検索携帯端末装置５（１）の位置情報を地図に重畳させて検索者に送信し、双方の製造番号が一致しなく、且つ被検索携帯端末装置５（１）の製造番号とペアになる電話番号が管理部３３に登録されていれば、被検索携帯端末装置５（１）の製造番号を用いて管理している電話番号を逆引きし、逆引きした電話番号の逆引き携帯端末装置５（２）の位置情報を取得し、取得した位置情報を地図に重畳させて検索者に送信する。したがって、携帯端末装置５とＳＩＭカード（図示略）のペアが本来のものでなくなっても、製造番号から電話番号を逆引きすることで被検索携帯端末装置５（１）を検索することができる。
【００４４】
なお、本実施の形態では、位置情報を含む地図をゲートウェイ２経由でＰＣ１に送信するようにしたが、インターネット等のネットワークを利用して送信するようにしても良い。また、ネットワークを利用する場合、位置検索を移動通信センター３で行うのではなく、専用のサーバ群（Ｗｅｂサーバ、測位サーバ等）で行うようにしても良い。
【００４５】
また、上記実施の形態においては、検索の度に被検索携帯端末装置に製造番号を問い合わせる態様について説明しているが、本発明はこれに限定されず、携帯端末装置の位置を移動通信センター３に登録する際に、移動通信センター３の管理部３３で管理される電話番号と製造番号とのペアリング情報から製造番号を取得しても良い。これにより、製造番号の取得を簡易に行うことができる。
【００４６】
また、本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【産業上の利用可能性】
【００４７】
本発明は、置き忘れたり、紛失したりした携帯端末装置を検索するシステムに適用可能である。
【図面の簡単な説明】
【００４８】
【図１】本発明の一実施の形態に係る携帯端末検索システムの概略構成を示す図である。
【図２】図１に示すシステムにおける移動通信センターの概略構成を示すブロック図である。
【図３】図２に示す管理部で管理される情報の一例を示す図である。
【図４】本発明の実施の形態に係る携帯端末検索方法を説明するためのフロー図である。
【図５】本発明の実施の形態に係る携帯端末検索方法の説明において、携帯端末装置を検索している最中のＰＣ上の表示例を示す図である。
【図６】本発明の実施の形態に係る携帯端末検索方法の説明において、携帯端末装置を検索した後のＰＣ上の表示例を示す図である。
【図７】本発明の実施の形態に係る携帯端末検索方法の説明において、携帯端末装置を検索した後のＰＣ上の表示例を示す図である。
【図８】従来の携帯端末検索方法の問題点を説明するための図
【符号の説明】
【００４９】
１  ＰＣ
２  ゲートウェイ
３  移動通信センター
４  移動通信網
５  携帯端末装置
５（１）  被検索携帯端末装置
５（２）  逆引き携帯端末装置
３１  制御部
３２  通信制御部
３３  管理部
３４  照合部
３５  位置情報取得部
３６  地図縮尺変更部
【図１】
2008271273.tif 000003
【図２】
2008271273.tif 000004
【図３】
2008271273.tif 000005
【図４】
2008271273.tif 000006
【図５】
2008271273.tif 000007
【図６】
2008271273.tif 000008
【図７】
2008271273.tif 000009
【図８】
2008271273.tif 000010